(57)【要約】      （修正有）【課題】積雪を切る作業と降ろす作業を完全に分離し、地上から雪を切ることで、安全に雪降しが出来るようにする雪を切る専用の用具を提供する。【解決手段】長尺の柄２と、該柄２に垂直を含む適宜角度の面上において該柄２の軸に対称で、雪カット幅相当適宜間隔の平行な２本の棒材１ａを備え、其々の棒材１ａの上端が屈曲して延伸しその端部が前記柄２の先端に固定されるように構成された枠と、該枠から柄２の手元側に傾斜した前記雪カット幅相当適宜間隔の平行な２本の線材３ａを備える。其々の線材３ａの下端が前記棒材１ａの下端に係止され、該線材３ａ上端が、前記柄２の先端から適宜手元側に固定された支持材５に係止されるように構成された雪切り線と、其々の棒材１ａの下両端に繋げて軸心が偏芯して回転自在に固設された帯板状の底部雪切り板４と、を有する。【選択図】図１
0003183154.tif 000002
【実用新案登録請求の範囲】
【請求項１】
屋根の雪降しを容易にするために積雪に切れ目を入れる手持ちの用具であって、長尺の柄２と、該柄２に垂直を含む適宜角度の面上において該柄２の軸に対称で、雪カット幅相当適宜間隔の平行な２本の棒材１ａを備え、其々の棒材１ａの上端が屈曲して延伸しその端部が前記柄２の先端に固定されるように構成された枠１と、該枠１から柄２の手元側に傾斜した前記雪カット幅相当適宜間隔の平行な２本の線材３ａを備え、其々の線材３ａの下端が前記棒材１ａの下端に係止され、該線材３ａ上端が、前記柄２の先端から適宜手元側に固定された支持材５に係止されるように構成された雪切り線３と、其々の棒材１ａの下両端に繋げて軸心が偏芯して回転自在に固設された帯板状の底部雪切り板４と、を有することを特徴とする雪切り用具。
【請求項２】
前記其々の棒材１ａの下端に弾性を有する柄２に略平行な小片で成る緩衝部品６を備えたことを特徴とする請求項１に記載の雪切り用具。
【考案の詳細な説明】
【技術分野】
【０００１】  本考案は、屋根に積もった雪を降す作業用具に関する。
【背景技術】
【０００２】  屋根に積もった雪を降ろす際に使用されている主な用具であるスコップでの雪降しは、屋根に登らなければならないことから、転落事故の危険があり、又、体力的負担も大きかった。このため、屋根に登らずに雪降しする用具が望まれており、これまでにも開示例がある。（例えば、特許文献１参照）
【先行技術文献】
【特許文献】
【０００３】
【特許文献１】  特開平１０−２５２０２９号公報
【考案の概要】
【考案が解決しようとする課題】
【０００４】  特許文献１の用具は、屋根に登らずに下から作業する用具であって、本用具を屋根面に平行に押し上げ、雪切り縦板で左右側面を切り取り、手前に引いてダンパーで雪を堰き止めて雪を降ろす用具とされている。しかしながら、本用具は装置が複雑であって、重たく扱いづらいという欠点があった。そこで、本考案は、地上において安全に効率良く、作業の負担についても軽減できる雪降し用具を提供しようとするものである。
【課題を解決するための手段】
【０００５】  この課題を解決するため、屋根の下から、積雪を切る作業と降ろす作業を完全に分離し、本考案は、雪を切る専用の用具に関するものである。
本考案は、積雪に切れ目を入れる手持ちの用具であって、長尺の柄２と、該柄２に垂直を含む適宜角度の面上において該柄２の軸に対称で、雪カット幅相当適宜間隔の平行な２本の棒材１ａを備え、其々の棒材１ａの上端が屈曲して延伸しその端部が前記柄２の先端に固定されるように構成された枠１と、該枠１から柄２の手元側に傾斜した前記雪カット幅相当適宜間隔の平行な２本の線材３ａを備え、其々の線材３ａの下端が前記棒材１ａの下端に係止され、該線材３ａ上端が、前記柄２の先端から適宜手元側に固定された支持材５に係止されるように構成された雪切り線３と、其々の棒材１ａの下両端に繋げて軸心が偏芯して回転自在に固設された帯板状の底部雪切り板４と、を有することを特徴とする雪切り用具とする。
また、前記其々の棒材１ａの下端に弾性を有する柄２に略平行な小片で成る緩衝部品６を備えた雪切り用具とするのが好ましい。
【考案の効果】
【０００６】  本考案は、屋根に登ることなく屋根の下から作業できる。雪を降ろそうとする屋根全体の積雪に、まず最初に本考案の雪切り用具によって、用具の左右の雪切り線材と底部雪切り板によって三方の面の全てに切れ目を入れることができる。つぎに、別途用意された、引き降し用具を用いて、切れ目に添って大きさを自由に選択し引くことで、長方形に箱状のまま形がほぼ崩れることなく、軽くスムーズに引き降ろすことができる。このように、三方の面に切れ目を入れることで、驚くほどに引き降しが容易になる。
【図面の簡単な説明】
【０００７】
【図１】本考案の雪切り用具の斜視図
【図２】図１の部分拡大図
【図３】雪引き降し用具の斜視図
【図４】図３の裏面図
【図５】本考案の雪切り用具と雪降し用具の使用状況図
【考案を実施するための形態】
【０００８】  本考案を実施する形態を、図を用いて詳細に説明する。
本考案は、屋根に積もった雪を降ろすにあたり、柄の先端に取り付けた本体枠１の両側に雪切り線３を取着し、低面には平板状の底部雪切り板４を取り付け、雪切り専用具とした。また、その切った雪を降ろすための用具として、雪引き降し用具を作製し、作業を分け専用具とする事によって軽量化が出来、危険性及び作業負担の軽減にもつながり、ひいては作業効率も向上することで、課題を解決するものである。
【実施例】
【０００９】  本考案の実施例を図１、図２を用いて説明する。
本考案は、屋根の雪降しを容易にするために、屋根の下から、屋根の積雪に切れ目を入れる手持ちの用具である。長尺の柄２の先端に枠１を設ける。枠１は、柄２に垂直を含む適宜角度の面上において柄２の軸に対称で、雪カット幅相当適宜間隔の平行な２本の棒材１ａを備え、其々の棒材１ａの上端が屈曲して延伸しその端部が前記柄２の先端に固定されるように構成さる。棒材１ａは本例では丸棒鋼を用いている。柄２は長尺とするために継手構造としたり、伸縮自在の構造とすることができ、材料はアルミなどの軽量パイプとすることができる。
枠１の左右の棒材１ａの下端から柄２の手元側に向けて平行な２本の線材３ａを備えた雪切り線３を設ける。雪切り線３は、枠１から柄２の手元側に傾斜した前記雪カット幅相当適宜間隔の平行な２本の線材３ａを備え、其々の線材３ａの下端が前記棒材１ａの下端に係止され、該線材３ａ上端が、前記柄２の先端から適宜手元側に固定された支持材５に係止されるように構成される。線材３ａは本例では鋼線を用いている。
其々の棒材１ａの下端には、これら下端を繋げるように、軸心が偏芯して回転自在に固設された帯板状の底部雪切り板４を設ける。底部雪切り板４は本例では帯状の鋼板を用いている。底部言切り板４は、本用具を積雪面で引いてきたとき、積雪に喰い込んで、偏芯している構造のため板面が引く方向に平行になる機能を有しており、効果的に雪の底面を切ることができる。
また、前記其々の棒材１ａの下端に弾性を有する柄２に略平行な小片で成る緩衝部品６を備え、屋根面との接触による屋根の損傷を防ぐ役割を有する。緩衝部品６は、本例では、棒材１ａの先端を柄２に略平行に適宜屈曲してこれにゴム管を装着したがこの例に限定したものではない。
本雪切り用具は、柄２の先端を本体枠上部の差込管８に差込み取り付けネジ９で固定し、丸棒を主体とする本体枠１を立軸とし、その先端部に平板横の一辺を軸とした底部雪切り板４を取り付ける。更にその先端をＬ字に曲げ屋根表面の損傷等を防ぐための、緩衝部品６を取着した。又両側には、縦方向の雪を切るための鉄線３を支軸棒５と支点１２との間に取付ける。また、柄の長さは屋根の高さに合わせ繋ぎ管１０に差し込み、取り付けネジ１３一本で伸長が容易にできる。【００１０】  また、図２に棒材１ａの下部について詳細に説明する。本体枠１の下部に固定された支点用平板１４に、それぞれ上下２箇所に雪切り線支点１２ａ、１２ｂを設け、上の雪切り線支点１２ａには雪切り線３を取り付ける。下の雪切り線支点１２ｂには、棒材１ａの下端を結ぶ軸方向に平行に支点ピン７を係止する。底部雪切り板４は帯状板で成り、底部雪切り板４の両端には、底部雪切り板４の略面上であって長手軸から適宜隔離して偏芯した位置に長手軸に平行な前記支点ピン７が挿通して、支点ピン７回りに底部雪切り板４が回転自在に設けられる。底部雪切り板４は力の加わった方向に面が平行になるように回転することから、屋根の傾斜角度に関係なく、引く方向にスムーズに雪を引き切ることが出来る。【００１１】  つぎに、本考案の雪切り用具を用いて屋根積雪の３辺を引き切ってから、次のステップで使用する雪降し用具について説明する。
雪降し用具は、図３に示すように、雪切り用具にて積雪の三面に切れ目を入れた雪を、引き降ろすための用具である。まず柄の部分であるが、図１の繋ぎ菅１０と図３の繋ぎ菅は同サイズであるので、相互に簡単に付け替えが出来るもので伸長用の柄は一組でも良い。
次に本体であるが、柄取り付けネジ９から扇状に２本の支線１５を伸ばし、その先端を手前に曲げ雪引き下ろし板１６を取着し、板の両サイド及び上辺を内側に曲げ、雪のつかみを良くした。
また、柄取り付けネジ９から引き張り鉄線１７を引き張り支点１８に取着し、引き降し時に雪引き落とし板１６にかかる負荷を受け止めることとした。この用具の最大の特徴として、支線１５を長くすることで傾斜角度の小さい屋根にも、柄が軒先に接触することを防ぐ効果があること。また、板１６がビニール系の素材とすることによりスベリが良く、取り付け角度も前方に傾いていることから、柄を持って押し上げるだけで、スキーのように雪面を移動させることが出来る。よって労力が軽減され、更には能率の向上にも繋がるものである。【００１２】  つぎに、添付図面５に従って使用方法を説明する。本考案品が従来にない最大の特徴として、雪を切る作業と降ろす作業を完全に分離したところにある。図５に示すとおり図１の雪切り用具により、まず雪を降ろそうとする屋根面全の雪に本用具により、屋根の上部から下に引くことによって、本用具図１の枠幅毎に両側及び底面に切れ目が入り、全ての雪が長方形の箱状に切断された状態となる。つぎに、図３雪降ろし用具によって雪を引き降ろす。このように、雪は接続部分が切断されることによって、容易に引き降ろすことが可能になる。
【符号の説明】
【００１３】  １ａ  枠
２  柄
３ａ  雪切り線
４  底部雪切り板
５  支軸
６  緩衝部品
７  雪切り板支点ピン
８  柄差込管
９  柄取り付けネジ
１０  柄繋ぎ管
１１  伸長用の柄
１２ａ、１２ｂ  雪切り線支点
１３  伸長柄止めネジ
１４  支点用平板
１５  支線
１６  雪引き落し板
１７  引き張り鉄線
１８  引張り線支点
【図１】
0003183154.tif 000003
【図２】
0003183154.tif 000004
【図３】
0003183154.tif 000005
【図４】
0003183154.tif 000006
【図５】
0003183154.tif 000007